(57)【要約】【課題】  衛星放送の受信時にフェーディング現象による受信電波の強度低下を防止し得るようにダイバーシティ技法を実現する衛星受信アンテナを備えた携帯端末機を提供する。【解決手段】  視覚情報を出力するディスプレイを備えた本体と、前記本体に互いに離隔して装着された複数の衛星受信アンテナとを含む。端末機本体と、前記本体に互いに離隔して装着され、衛星から送出された信号と地上中継機から送出された信号をダイバーシティするために前記２つの信号をそれぞれ受信する複数の衛星信号受信アンテナと、を含むことを特徴とする衛星受信アンテナを備えた携帯端末機。【選択図】  図１
2006005927.tif 000002
【特許請求の範囲】
【請求項１】
端末機本体と、
前記本体に互いに離隔して装着され、衛星から送出された信号と地上中継機から送出された信号をダイバーシティするために前記２つの信号をそれぞれ受信する複数の衛星信号受信アンテナと、
を含むことを特徴とする衛星受信アンテナを備えた携帯端末機。
【請求項２】
前記衛星受信アンテナが、垂直偏波を受信するためのヘリカルアンテナと、ＲＨＣＰ（Ｒｉｇｈｔ  ｈａｎｄ−ｓｉｄｅ  ｃｉｒｃｕｌａｒｌｙ  ｐｏｌａｒｉｚｅｄ）電波を受信するための円偏波アンテナを含むことを特徴とする請求項１に記載の衛星受信アンテナを備えた携帯端末機。
【請求項３】
前記円偏波アンテナが、セラミック基板に厚膜の銀電極が印刷され、放射電極と接地電極が形成された誘電体セラミックアンテナであることを特徴とする請求項２に記載の衛星受信アンテナを備えた携帯端末機。
【請求項４】
前記本体が、
前面に回動可能にヒンジ結合された前面蓋と、
後面に前記前面蓋の回動方向と反対方向に対応して回動可能にヒンジ結合された後面蓋とを含み、
前記前面蓋に第１円偏波アンテナが取り付けられ、前記後面蓋に第２円偏波アンテナが取り付けられることを特徴とする請求項１記載の衛星受信アンテナを備えた携帯端末機。
【請求項５】
前記前面蓋及び後面蓋の開放時に前記本体となす角度が直角を維持するように構成されることを特徴とする請求項４に記載の衛星受信アンテナを備えた携帯端末機。
【請求項６】
前記本体の一方側に地上中継機から伝送される信号を受信する地上波受信アンテナが設置されることを特徴とする請求項１に記載の衛星受信アンテナを備えた携帯端末機。
【請求項７】
前記地上波受信アンテナが、地上波だけでなく衛星信号も受信し得る二重共振アンテナであることを特徴とする請求項６に記載の衛星受信アンテナを備えた携帯端末機。
【請求項８】
前記本体の一方側に前記衛星受信アンテナの１つと結合されて前記アンテナを回動自在に支持する連結装置をさらに含むことを特徴とする請求項１に記載の衛星受信アンテナを備えた携帯端末機。
【請求項９】
前記連結装置が、
前記本体の外面に所定間隔を有して対向して突成された１対の固定部材と、
該固定部材間に一方端がピンにより上下方向回動可能に軸支された回動軸と、
結合溝を有して該結合溝に前記回動軸の他方端が回動可能に挿入される回転部材とを含むことを特徴とする請求項８に記載の衛星受信アンテナを備えた携帯端末機。
【請求項１０】
前記本体の一方側に地上中継機から伝送される信号及び衛星信号を受信し得る二重共振アンテナが設置されることを特徴とする請求項８に記載の衛星受信アンテナを備えた携帯端末機。
【請求項１１】
前記本体が、一方側に衛星受信アンテナが装着され、該アンテナをスライド式に入出し得るスライダーをさらに含むことを特徴とする請求項１に記載の衛星受信アンテナを備えた携帯端末機。
【請求項１２】
前記衛星受信アンテナが、円偏波アンテナであることを特徴とする請求項１１に記載の衛星受信アンテナを備えた携帯端末機。
【請求項１３】
前記スライダーが、前記本体の下端面に形成された挿入空間に装着されたことを特徴とする請求項１１に記載の衛星受信アンテナを備えた携帯端末機。
【請求項１４】
前記スライダーの両側面にレールが突出形成され、前記レールの先端面には係止突条が突成されたことを特徴とする請求項１１に記載の衛星受信アンテナを備えた携帯端末機。
【請求項１５】
前記挿入空間の両側面には、前記レールを案内するためのレール溝が形成されることを特徴とする請求項１３記載の衛星受信アンテナを備えた携帯端末機。
【請求項１６】
前記本体の一方側に地上中継機から伝送される信号及び衛星信号を受信し得る二重共振アンテナが設置されることを特徴とする請求項１１に記載の衛星受信アンテナを備えた携帯端末機。
【請求項１７】
前記スライダーが、前記本体内に装着された電動装置と連結され、信号により自動で出し入れできるように構成されることを特徴とする請求項１１に記載の衛星受信アンテナを備えた携帯端末機。
【請求項１８】
前記スライダーが、外部に出る長さを任意に調節し得るように構成されることを特徴とする請求項１１に記載の衛星受信アンテナを備えた携帯端末機。
【発明の詳細な説明】
【技術分野】
【０００１】
本発明は、携帯端末機に関し、特に、衛星信号の受信時に受信電波の強度低下を防止できる衛星受信アンテナを備えた携帯端末機に関する。
【背景技術】
【０００２】
近年、移動通信業界においては、多数の送信信号が多重経路を経て受信されることにより発生するフェーディング（Ｆａｄｉｎｇ）現象を克服するための研究が活発に行なわれている。
【０００３】
ここで、フェーディング現象とは、受信される電波が通過するとき、媒質の変化によってその受信電波の強度が急激に変動する現象をいい、例えば、海外短波放送を聞いていると、時々音響と音質が変わることがあり、この現象は、伝播する状態が変わるため発生する。
【０００４】
前記フェーディングは、電波を伝達する媒質の電気的定数の時間的変化による電波損失によって発生するか、又は、通路の屈曲によって発生する。さらに、同一の送信地点から送信された電波が２つ以上の経路を経て受信されるときに合成される電波の強度は位相差によって干渉波が発生するので、フェーディングが発生することもある。このフェーディングは、受信地点、周波数、偏波などが変わると、その相関が非常に小さくなる性質を有する。
【０００５】
このようなフェーディング現象を克服するために、ダイバーシティ技法が開発され、このダイバーシティ技法は、電波の送信途中に発生するフェーディングを除去して、常に一定強度で受信することを可能にする方式である。
【０００６】
前記ダイバーシティには、２種類以上の受信アンテナをある程度離隔した場所に設置する空間ダイバーシティ、同一の通信情報を周波数がわずかに異なる２種類以上の電波にのせて転送する周波数ダイバーシティ並びに、直交する２つの偏波の電波を利用する偏波ダイバーシティなどがある。
【０００７】
近来、移動通信端末機は、小型化、多機能化、軽量化、低電力化を目標として持続的に発展され、このような移動通信端末機に必須の要素の１つがアンテナであって、信号の入出力を担当する。さらに、前記アンテナは、通話品質を決定する核心部品として、端末機の形態及び材質により設計が変更される。
【０００８】
アンテナの特性は、主に、インピーダンス、利得、及び指向性の３要素によって示され、前記インピーダンスは、電流の流れにくさを表す量である。無線機（ＲＩＧ）、同軸ケーブル、アンテナは、全てそれぞれのインピーダンス値を有し、この３つのインピーダンス値が一致するとき、最も効果的に電波が送信される。
【０００９】
アンテナに電気エネルギーを供給す電線を給電線と言い、この給電線のうち、外部導体及び内部導体を有してそれら外部導体及び内部導体の軸が一致する線を同軸ケーブルと言う。
【００１０】
前記利得は、アンテナの性能を表し該アンテナの性能により、アンテナに一定出力の電波を送った場合も、高出力の電波を送ったときと同様な効果を発生し、このような効果を利得といい、その単位はｄＢである。
【００１１】
ここで、高い利得のアンテナを使用すると、小さい出力でも遠い無線局と効果的に交信することができる。
【００１２】
また、アンテナが特定方向により多くの電波を送る性質を指向性といい、該指向性があるアンテナを指向性アンテナと言い、指向性がなくて全ての方向に同一に電波を送るアンテナを無指向性アンテナと言う。
【００１３】
アンテナは電波を立体的に送るが、該立体的指向性は極めて難しいので、便宜上、水平面における指向性と垂直面における指向性を考える。指向性アンテナを使用する最も代表的な例は、電波の発信地を探知することである。
【００１４】
通常、ダイバーシティ機能を搭載したアンテナとは、出力段が互いに連結された２つ以上のアンテナを備えたアンテナのことを示し、アンテナの出力を単一受信信号に組み合わせることにより、フェーディングを防止して利得を向上することができる。実際に２つのアンテナを使用する場合、受信電力が平均２．２ｄＢ程度向上し、アンテナをさらに追加すると、ダイバーシティ利得は使用アンテナの数の平方根に概ね比例して増加する。
【００１５】
このダイバーシティ技法を移動通信端末機に適用するために、従来は、２つのアンテナ及び２つの放射周波数受信部を使用してそれぞれの信号を受信し、ベースバンド処理部によって前記２つの受信信号を結合する方式が使用されていた。このようなダイバーシティ技法は、アンテナの離隔距離を確保してそれぞれの信号を効果的に結合する空間ダイバーシティ技法である。
【００１６】
この空間ダイバーシティ技法以外にも、偏波ダイバーシティ技法が使用されるが、この偏波ダイバーシティ技法とは、送信段から送信された信号が障害物などによって反射又は回折してその偏波特性が変化するとき、受信段に異なる偏波特性を有する２つのアンテナを設置することによりダイバーシティ機能を実現するものである。
【００１７】
すなわち、従来は、地上中継機から伝送された垂直偏波信号が反射又は回折して偏波特性が変化することを利用して偏波ダイバーシティアンテナを構成したが、衛星からは円偏波信号が伝送され、地上中継機からは垂直偏波信号が伝送されるため、衛星から受信された信号と地上中継機から受信された信号を直接結合して効果的に処理するためのダイバーシティアンテナの実現方法が必要になった。
【００１８】
このように、衛星デジタルマルチメディア放送がサービスされることにより、衛星デジタルマルチメディア放送を受信するためには線形垂直偏波アンテナとは別途に、円偏波アンテナ又は高い指向性のアンテナを使用しなければならないという問題点があった。
【発明の開示】
【発明が解決しようとする課題】
【００１９】
本発明は、前述したような問題点を解決するために提案されたもので、本発明の目的は、衛星放送の受信時にフェーディング現象による受信電波の強度低下を防止し得るようにダイバーシティ技法を実現する衛星受信アンテナを備えた携帯端末機を提供することにある。
【課題を解決するための手段】
【００２０】
このような目的を達成するために、本発明による携帯端末機は、視覚情報を出力するディスプレイを備えた本体と、前記本体に互いに離隔して装着された複数の衛星受信アンテナとを含むことを特徴とする。
【００２１】
上記目的を達成するために、本発明は、例えば、以下の手段を提供する。
（項目１）
端末機本体と、
前記本体に互いに離隔して装着され、衛星から送出された信号と地上中継機から送出された信号をダイバーシティするために前記２つの信号をそれぞれ受信する複数の衛星信号受信アンテナと、
を含むことを特徴とする衛星受信アンテナを備えた携帯端末機。
（項目２）
前記衛星受信アンテナが、垂直偏波を受信するためのヘリカルアンテナと、ＲＨＣＰ（Ｒｉｇｈｔ  ｈａｎｄ−ｓｉｄｅ  ｃｉｒｃｕｌａｒｌｙ  ｐｏｌａｒｉｚｅｄ）電波を受信するための円偏波アンテナを含むことを特徴とする項目１に記載の衛星受信アンテナを備えた携帯端末機。
（項目３）
前記円偏波アンテナが、セラミック基板に厚膜の銀電極が印刷され、放射電極と接地電極が形成された誘電体セラミックアンテナであることを特徴とする項目２に記載の衛星受信アンテナを備えた携帯端末機。
（項目４）
前記本体が、
前面に回動可能にヒンジ結合された前面蓋と、
後面に前記前面蓋の回動方向と反対方向に対応して回動可能にヒンジ結合された後面蓋とを含み、
前記前面蓋に第１円偏波アンテナが取り付けられ、前記後面蓋に第２円偏波アンテナが取り付けられることを特徴とする項目１記載の衛星受信アンテナを備えた携帯端末機。
（項目５）
前記前面蓋及び後面蓋の開放時に前記本体となす角度が直角を維持するように構成されることを特徴とする項目４に記載の衛星受信アンテナを備えた携帯端末機。
（項目６）
前記本体の一方側に地上中継機から伝送される信号を受信する地上波受信アンテナが設置されることを特徴とする項目１に記載の衛星受信アンテナを備えた携帯端末機。
（項目７）
前記地上波受信アンテナが、地上波だけでなく衛星信号も受信し得る二重共振アンテナであることを特徴とする項目６に記載の衛星受信アンテナを備えた携帯端末機。
（項目８）
前記本体の一方側に前記衛星受信アンテナの１つと結合されて前記アンテナを回動自在に支持する連結装置をさらに含むことを特徴とする項目１に記載の衛星受信アンテナを備えた携帯端末機。
（項目９）
前記連結装置が、
前記本体の外面に所定間隔を有して対向して突成された１対の固定部材と、
該固定部材間に一方端がピンにより上下方向回動可能に軸支された回動軸と、
結合溝を有して該結合溝に前記回動軸の他方端が回動可能に挿入される回転部材とを含むことを特徴とする項目８に記載の衛星受信アンテナを備えた携帯端末機。
（項目１０）
前記本体の一方側に地上中継機から伝送される信号及び衛星信号を受信し得る二重共振アンテナが設置されることを特徴とする項目８に記載の衛星受信アンテナを備えた携帯端末機。
（項目１１）
前記本体が、一方側に衛星受信アンテナが装着され、該アンテナをスライド式に入出し得るスライダーをさらに含むことを特徴とする項目１に記載の衛星受信アンテナを備えた携帯端末機。
（項目１２）
前記衛星受信アンテナが、円偏波アンテナであることを特徴とする項目１１に記載の衛星受信アンテナを備えた携帯端末機。
（項目１３）
前記スライダーが、前記本体の下端面に形成された挿入空間に装着されたことを特徴とする項目１１に記載の衛星受信アンテナを備えた携帯端末機。
（項目１４）
前記スライダーの両側面にレールが突出形成され、前記レールの先端面には係止突条が突成されたことを特徴とする項目１１に記載の衛星受信アンテナを備えた携帯端末機。
（項目１５）
前記挿入空間の両側面には、前記レールを案内するためのレール溝が形成されることを特徴とする項目１３記載の衛星受信アンテナを備えた携帯端末機。
（項目１６）
前記本体の一方側に地上中継機から伝送される信号及び衛星信号を受信し得る二重共振アンテナが設置されることを特徴とする項目１１に記載の衛星受信アンテナを備えた携帯端末機。
（項目１７）
前記スライダーが、前記本体内に装着された電動装置と連結され、信号により自動で出し入れできるように構成されることを特徴とする項目１１に記載の衛星受信アンテナを備えた携帯端末機。
（項目１８）
前記スライダーが、外部に出る長さを任意に調節し得るように構成されることを特徴とする項目１１に記載の衛星受信アンテナを備えた携帯端末機。
【発明の効果】
【００２２】
本発明による衛星受信アンテナを備えた携帯端末機は、衛星放送受信のためのダイバーシティ機能を実現することによって高品質の信号を受信することができ、より安定的した衛星信号を受信するために前面蓋と後面蓋を固定台として使用し得るという効果がある。
【００２３】
また、衛星信号を受信しない場合は、本体に衛星アンテナを収納することができ、衛星信号を受信する場合は、衛星アンテナの角度を適切に調節することにより、衛星放送受信のためのダイバーシティ機能を実現することができるという効果がある。
【００２４】
また、本体の外面に回動可能な連結装置を備えることにより、最適の電波受信位置に角度を調節することができるため、より効果的にダイバーシティアンテナとして動作し得るという効果がある。
【発明を実施するための最良の形態】
【００２５】
以下、図面を参照して本発明による衛星受信アンテナを備えた携帯端末機の実施形態について詳細に説明する。
【００２６】
図１は、本発明に係る携帯端末機の第１実施携帯として前面蓋及び後面蓋が閉じた状態を示す斜視図で、図２は、本発明に係る携帯端末機の第１実施携帯として、前面蓋及び後面蓋が開いた状態を示す斜視図である。
【００２７】
図示されたように、本発明による衛星受信アンテナを備えた携帯端末機は、視覚情報を出力するディスプレイ１２を備えた本体１０と、本体１０に互いに離隔して装着された複数の衛星受信アンテナ４０とを含む。
【００２８】
すなわち、本体１０は、前面に回動可能にヒンジ結合した前面蓋３０と、後面に前面蓋３０の回動方向と反対方向に回動可能にヒンジ結合された後面蓋５０とを含む。
【００２９】
本体１０の一方側には、地上中継機から送信されるコード分割多重接続方式（Ｃｏｄｅ  Ｄｉｖｉｓｉｏｎ  Ｍｕｌｔｉｐｌｅ  Ａｃｃｅｓｓ：  ＣＤＭＡ）信号などを受信する地上波受信アンテナ１１が設置される。
【００３０】
地上波受信アンテナ１１は、二重共振アンテナであり、地上中継機からの信号だけでなく衛星信号も受信するように構成することもできる。
【００３１】
また、前面蓋３０の一方側には前面蓋ヒンジ部３２が軸支されて、本体１０の前面側ヒンジ部２０と回動可能に連結される。同様に、後面蓋５０の一方側には後面蓋ヒンジ部（図示せず）が備えられて、本体１０の後面側ヒンジ部（図示せず）と回動可能に連結される。ここで、本体１０の前面側ヒンジ部３２及び後面側ヒンジ部（図示せず）は、本体１０を挟むように対応する位置に装着されることにより、前面蓋３０及び後面蓋５０がそれぞれ開放されたとき、前面蓋３０及び後面蓋５０と本体１０となす角度がそれぞれ直角を維持するように構成することが好ましい。
【００３２】
衛星受信アンテナ４０は、前面蓋３０の内側面に取り付けられた第１アンテナ４１と、後面蓋５０の内側面に取り付けられた第２アンテナ４２とから構成される。
【００３３】
さらに、衛星受信アンテナ４０は、前述したように、地上波受信アンテナ１１が二重共振アンテナとして衛星信号の受信も可能である場合、第１アンテナ４１又は第２アンテナ４２のいずれか１つを省略することもできる。このように１つのアンテナを省略しても地上波受信アンテナ１１及び衛星受信アンテナ４０は、ダイバーシティ効果を奏することができる。勿論、第１アンテナ４１、第２アンテナ４２及び地上波受信アンテナ１１の全てがダイバーシティアンテナの役割を果たすこともできる。
【００３４】
ここで、衛星受信アンテナ４０は、前面蓋３０及び後面蓋５０の外部に取り付けることもでき、内部に内蔵することもできる。
【００３５】
衛星受信アンテナ４０としては、チップアンテナ、内蔵型モノポールアンテナ又はマイクロストリップパッチアンテナなどを使用することができる。例えば、前面蓋３０と後面蓋５０との両方にマイクロストリップパッチアンテナを設置することもでき、前面蓋３０にはチップアンテナを、後面蓋５０には内蔵型モノポールアンテナを設置することもできる。
【００３６】
図１及び図２の未設名符号１３はキーパッド部を示し、１５はスピーカーを示し、１６は充電地を示したものである。
【００３７】
このように構成された本発明の第１実施形態は、衛星信号を受信しないとき、本体１０は、衛星受信アンテナ４０が邪魔にならないように前面蓋３０及び後面蓋５０を折り畳む。
【００３８】
また、衛星信号を受信するとき、本体１０は、前面に結合した前面蓋３０と後面に結合した後面蓋５０を直角をなすように立てられる。前面蓋３０と後面蓋５０に装着された衛星受信アンテナ４０は、それぞれ衛星信号を受信し、相互離隔して配置されているので、ダイバーシティアンテナとして動作するようになり、よって、受信信号の品質が向上される。また、前面蓋３０と後面蓋５０の回動角度を調節することにより、最適の電波受信位置を探し出して電波受信感度を調節することができる。
【００３９】
図３は、本発明に係る携帯端末機の第２実施形態の衛星受信アンテナを折り畳んだ状態を示す斜視図で、図４は、図３の衛星受信アンテナを広げた状態を示した斜視図で、図５は、図３のＡ部分を拡大した分解拡大斜視図である。
【００４０】
図示されたように、本体１００の一側には、複数の衛星受信アンテナ４００の１つと結合して衛星受信アンテナ４００を上下左右に自由に回動させる連結装置５００が装着されている。
【００４１】
すなわち、本体１００は、文字情報を入力するキーパッド（図示せず）を有したキーパッド部１５０と、ディスプレイ（図示せず）とが備えられ、キーパッド部１５０に回動可能にヒンジ部２００により結合される蓋部１６０から構成される。本実施形態では、折り畳み型携帯端末機を例示しているが、これに限定されず、スライド型にも多様に適用される。
【００４２】
キーパッド部１５０の側面には、サイドキー１４０が備えられ、さらに、音声情報を入力するマイク（図示せず）が装着される。
【００４３】
また、連結装置５００は、蓋部１６０の外側に取り付けられるが、これに限定されず、キーパッド部１５０の外側に取り付けることもできる。
【００４４】
さらに、連結装置５００は、蓋部１６０の外面に所定間隔を有して相互対向して設置された１対の固定部材５４０と、それら固定部材５４０間に一方端がピン５５０により結合されて上下に回動される回動軸５３０と、結合溝５１２を有して結合溝５１２に回動軸５３０の他方端が挿入されることにより回動される回転部材５１０とを含む。
【００４５】
固定部材５４０の各内側面にはねじ溝５４２が形成され、回動軸５３０の一方側にはホール５３２が貫通形成され、回動軸５３０のホール５３２にピン５５０が貫通した状態でねじ溝５４２に結合される。
【００４６】
また、回転部材５１０の結合溝５１２には、回動軸５３０と回転可能に結合するためのベアリング５２０が挿合される。
【００４７】
また、衛星信号を受信する衛星受信アンテナ４００は、フレキシブルコネクタケーブルによって本体１００に内蔵された印刷回路基板と電気的に接続される。
【００４８】
本体１００の一側には、地上中継機から送信される信号及び衛星信号を受信し得る二重共振アンテナ１１０が設置される。
【００４９】
図３、図４、図５の未設名符号１２０はジャックカバー、１３０はロックボタンをそれぞれ示したものである。
【００５０】
このように構成された本発明に係る携帯端末機の第２実施形態においては、衛星信号を受信しない場合、連結装置５００を折り畳んで本体１００に衛星受信アンテナ４００を密着することにより、携帯端末機の使用に邪魔にならないようにする。
【００５１】
また、衛星信号を受信する場合は、連結装置５００を広げて最適の電波受信位置を探し出すように角度を調節する。ここで、衛星受信アンテナ４００及び二重共振アンテナ１１０は、両方とも衛星信号を受信するが、互いに離隔して配置されているため、ダイバーシティアンテナとして動作し、よって、受信される信号の品質が向上される。
【００５２】
また、図６は、本発明に係る携帯端末機の第３実施形態として衛星受信アンテナが外部に出た状態を示した斜視図で、図７は、図６の衛星受信アンテナが内部に収納された状態を示す斜視図で、図８は、図７のＶＩＩＩ−ＶＩＩＩ線の断面図である。
【００５３】
図示されたように、本発明に係る携帯端末機の第３実施形態においては、本体６００として、一方側に衛星受信アンテナ９００が装着され、その衛星受信アンテナ９００をスライド式に出し入れすることのできるスライダー部８００が形成されている。
【００５４】
衛星受信アンテナ９００は、衛星信号を受信する多様なアンテナを使用することができるが、例えば、円偏波アンテナを用いることができる。
【００５５】
該円偏波アンテナは、マイクロストリップアンテナ形態の誘電体セラミックアンテナであり、この誘電体セラミックアンテナは、四角形のセラミック基板に厚膜の銀電極が印刷され、放射電極及び接地電極が形成される。前記誘電体セラミックアンテナは、テフロン（登録商標）ガラス基板に形成されたアンテナに比べて小型化が可能で、温度に対して安定している。
【００５６】
また、スライダー部８００が本体６００の下端面の挿入空間６０９に装着されたが、挿入空間６０９を側面に形成してスライダー８００部が側面に出し入れされるように構成することもできる。
【００５７】
また、本体６００は、キーパッド６０４を備えたキーパッド部６１０と、ディスプレイ１２を有してキーパッド部６１０に回動可能にヒンジ部２００に軸支された蓋部６２０とから構成される。すなわち、折り畳み型携帯端末機を例として説明しているが、これに限定されず、スライド型などに多様に適用すると、第２実施形態と同様になる。
【００５８】
また、スライダー部８００の両側面にはレール８１０が突出形成され、レール８１０の先端面には係止突条８２０が備えられる。挿入空間６０９の両側面にはレール８１０が挿入されるレール溝６０９ａが形成されることによりレール８１０が案内される。
【００５９】
挿入空間６０９は、本体６００に内蔵された印刷回路基板６１０の下部に形成されるが、これに限定されるものではない。
【００６０】
スライダー部８００の動作方式は、直接手で出し入れする手動方式にすることもでき、本体６００の内部に電動装置（図示せず）などを備えて自動に出し入れるように自動方式にすることもできる。
【００６１】
また、本体１００の一側には、地上中継機から送信される信号及び衛星信号を受信し得る二重共振アンテナ６０２が設置されている。
【００６２】
図６、図７、図８の未設名符号６０６はマイク、６２０は本体ケース、７４０はスピーカーをそれぞれ示したものである。
【００６３】
このように構成された本発明の第３実施形態においては、衛星信号を受信しないときは、本体６００にスライダー８００を挿入して携帯端末機の使用に邪魔にならないようにする。
【００６４】
また、衛星信号を受信するときは、スライダー部８００を最適の電波受信位置まで取り出すことにより、衛星受信アンテナ９００及び二重共振アンテナ６０２は、両方とも衛星信号を受信し、互いに離隔して配置されているため、ダイバーシティアンテナとして動作するようにより、よって、受信信号の品質が向上される効果がある。
【００６５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６６】
衛星放送の受信時にフェーディング現象による受信電波の強度低下を防止し得るようにダイバーシティ技法を実現する衛星受信アンテナを備えた携帯端末機を提供する。
【００６７】
視覚情報を出力するディスプレイを備えた本体と、前記本体に互いに離隔して装着された複数の衛星受信アンテナとを含む。
【図面の簡単な説明】
【００６８】
【図１】本発明に係る携帯端末機の第１実施形態として、前面蓋及び後面蓋が閉じた状態を示す斜視図である。
【図２】本発明に係る携帯端末機の第１実施形態として、前面蓋及び後面蓋が開いた状態を示す斜視図である。
【図３】本発明に係る携帯端末機の第２実施形態として衛星受信アンテナを折り畳んだ状態を示す斜視図である。
【図４】図３の衛星受信アンテナを広げた状態を示す斜視図である。
【図５】図３のＡ部分を拡大して示した分解拡大斜視図である。
【図６】本発明に係る携帯端末機の第３実施形態として衛星受信アンテナが外部に出た状態を示す斜視図である。
【図７】図６の衛星受信アンテナが内部に収納された状態を示す斜視図である。
【図８】図７のＶＩＩＩ−ＶＩＩＩ線の断面図である。
【符号の説明】
【００６９】
１０、１００、６００：本体
１１：地上波受信アンテナ
１２：ディスプレイ
３０：前面蓋
４０、４００、９００：衛星受信アンテナ
５０：後面蓋
１１０、６０２：二重共振アンテナ
１６０、６２０：蓋部
２００：ヒンジ部
５００：連結装置
５１０：回転部材
５１２：結合溝
５２０：ベアリング
５３０：回動軸
５４０：固定部材
５５０：ピン
６０９：挿入空間
６１０：キーパッド部
８００：スライダー部
８１０：レール
８２０：係止突条
【図１】
2006005927.tif 000003
【図２】
2006005927.tif 000004
【図３】
2006005927.tif 000005
【図４】
2006005927.tif 000006
【図５】
2006005927.tif 000007
【図６】
2006005927.tif 000008
【図７】
2006005927.tif 000009
【図８】
2006005927.tif 000010